(57)【要約】【課題】  客さばきを早くすることができ、店員の手間を軽減でき、安全性の向上を図れ、硬貨の紛失を防止することのできる硬貨払出装置を得る。【解決手段】  払い出し金額が予め対応付けされる払出キー５１を備える。払出キー５１が操作された場合、当該払出キー５１に対応付けされている金額分の硬貨を払い出す。この払出キー５１への払出金額の設定は、入力手段に入力された払い出し金額を払出キー５１に対応付けることにより行う。【選択図】    図５
2005056287.tif 000002
【特許請求の範囲】
【請求項１】
硬貨を金種毎に収納する硬貨収納部と、
前記硬貨収納部に収納された硬貨を払い出す硬貨払出機構と、
払出キーと、
払い出す金額が入力される入力手段と、
入力された払い出し金額を前記払出キーに対応付けする対応付け手段と、
前記払出キーが操作された場合、当該払出キーに対応付けされている金額分の硬貨を前記硬貨払出機構により払い出す硬貨払出手段と、
を備える硬貨払出装置。
【請求項２】
前記払出キーは、複数設けられ、
前記払出キーが操作された回数を前記払出キー毎に計数する計数手段と、
計数した前記払出キーに対する操作回数を出力する出力手段と、
を備える請求項１記載の硬貨払出装置。
【発明の詳細な説明】
【技術分野】
【０００１】
本発明は、硬貨を払い出す硬貨払出装置に関する。
【背景技術】
【０００２】
従来、１円，５円，１０円，５０円，１００円，５００円等の硬貨を金種毎に収納する硬貨収納部を内蔵し、ＰＯＳ端末やＥＣＲからの釣り銭の払い出し指令により、硬貨収納部内の硬貨を釣り銭額だけ硬貨払出口に払い出すようにした硬貨払出装置がある（例えば、特許文献１参照）。
【０００３】
【特許文献１】特開２００１−４３４４８公報
【発明の開示】
【発明が解決しようとする課題】
【０００４】
ところで、駅のホームの売店では、列車の発車時刻が決まっているので、客は急いで買物を済ませなければならない場合がある。このような客が一度に多数来店した場合には、一人一人の客をさらに素早くさばかなければならない。このような場合、ＰＯＳ端末などで売上登録処理を行い、預かり金を受け取り、その預かり金の金額をＰＯＳ端末に入力して釣銭を硬貨払出装置により払い出して客に釣銭を渡していたのでは客さばきに時間がかかってしまうという問題がある。
【０００５】
そこで、このような駅のホームの売店では、ＰＯＳ端末などでの売上登録処理及び硬貨払出装置による釣銭の払出を行なっていないことが多い。そのかわりに、予め予想される釣銭金額分の硬貨を販売台の裏などに積み上げて並べることにより準備していることがある。釣銭金額としては、例えば、新聞や缶コーヒーなどの１２０円の商品に対して２００円を預かり金として受け取った場合の釣銭金額８０円などである。そして、客から預かり金を受け取ったならば、準備しておいた釣銭を渡すようにしている。これにより、客に対して素早く釣銭を渡すことができ、客さばきが効率化される。
【０００６】
しかしながら、この場合には、以下の問題がある。
（１）硬貨を決められた金額分ずつ並べることが必要であり、店員にとって手間がかかる。
（２）積み上げる金額を間違えることがある。
（３）硬貨を販売台の裏などに積み上げて並べて置いておくことにより、セキュリティに問題がある。
（４）硬貨を販売台の裏などに積み上げて並べて置いておくので、積み上げた硬貨が崩れ落ちるなどして紛失してしまう問題がある。
【０００７】
本発明の目的は、客さばきを早くすることができ、店員の手間を軽減でき、安全性の向上を図れ、硬貨の紛失を防止することのできる硬貨払出装置を得ることである。
【課題を解決するための手段】
【０００８】
本発明は、払出キーと、払い出す金額が入力される入力手段とを備え、入力された払い出し金額を払出キーに対応付けし、払出キーが操作された場合、当該払出キーに対応付けされている金額分の硬貨を払い出す構成である。
【発明の効果】
【０００９】
本発明によれば、客さばきを早くすることができ、店員の手間を軽減でき、安全性の向上を図れ、硬貨の紛失を防止することができる。
【発明を実施するための最良の形態】
【００１０】
本発明の一実施の形態を図面に基づいて説明する。ここで、図１は本実施の形態の硬貨払出装置の外観を示す斜視図、図２は硬貨払出装置の内部構造を示す平面図、図３は硬貨払出装置の内部構造を示す縦断側面図である。本実施の形態の硬貨払出装置は、概略的には、予め設定された払出金額分の硬貨をキー操作がされることにより払い出すものであり、かつ、払出金額を任意な金額に設定可能とすることにより、例えば払出金額をよく扱う釣銭金額に設定できるようにしたものでる。
【００１１】
図１及び図２に示すように、硬貨払出装置１の筐体であるハウジング２の右側手前には、硬貨Ｃ（図３参照）を一括して投入する上方に開口した硬貨投入口３が設けられている。この硬貨投入口３には、光電的に硬貨Ｃの有無を検出する複数組の投入センサ４が設けられている。
【００１２】
ハウジング２の内部には、硬貨入出金機構Ａが内蔵されている。以下において、硬貨入出金機構Ａについて説明する。
【００１３】
図２に示すように、硬貨投入口３には、モータＭ（図４参照）に連結されて駆動され、投入された硬貨Ｃを奥に向けて搬送する投入口ベルト５が設けられている。この投入口ベルト５上には硬貨投入口３の一端に位置させて不規則に投入された硬貨Ｃを一枚ずつ送り出すための投入口ローラ６が設けられている。また、投入口ベルト５には、モータＭ（図４参照）に連結されて駆動され、硬貨Ｃの送り速度を速めて所定の隙間をあけてそれぞれの硬貨Ｃを送ることができるように搬送速度を速めた搬送ベルト７が連設されている。さらに、搬送ベルト７の終端部分には、搬送方向を略直角に屈曲する硬貨案内部５０と、硬貨払出装置１の幅方向に略平行に設けられ、硬貨案内部５０によって搬送方向が略直角に屈曲された硬貨Ｃを硬貨選別位置（後述する硬貨選別部１１）に搬送する搬送ベルト８が設けられている。
【００１４】
搬送ベルト８の下方には、この搬送ベルト８に沿わせて順次孔幅寸法が拡大する金種毎の選別孔１０が設けられ、ここに硬貨選別位置に位置し、搬送された硬貨Ｃを金種別に選別する硬貨選別部１１が形成されている。選別孔１０は、図２において右側から１円，５０円，５円，１００円，１０円，５００円の順にそれぞれの金種に対応する大きさで６個設けられている。そして、各選別孔１０には、金種毎に硬貨Ｃの枚数をカウントするための計数センサ１２が設けられている。
【００１５】
選別孔１０は、仕切板１３により金種毎に仕切られた上方開口の硬貨収納部１４（１４ａ〜１４ｆ）に連通している。なお、本実施の形態の硬貨払出装置は、詳細は後述するが、各硬貨収納部１４ａ〜１４ｆの幅を狭くすることにより小型化を実現しているため、各硬貨収納部１４ａ〜１４ｆ上に設けられる各選別孔１０は、必然的に近接して設けられている。このような選別孔１０には、選別孔１０から落下する硬貨Ｃを硬貨収納部１４の内部に案内する傾斜ガイド１０ａが設けられている。これらの傾斜ガイド１０ａは、選別孔１０の基準面１０ｂに近い方の端部から遠い方の端部に向かうに従い下方に傾斜しており、選別孔１０により選別されて落下する硬貨Ｃを斜め下方へ向けて落下させる。なお、選別孔１０の基準面１０ｂは、金種毎に設けられた選別孔１０から対応する硬貨Ｃを正しく落下させるために必要な硬貨Ｃの搬送基準を得るための硬貨案内面である。
【００１６】
次に、硬貨収納部１４、硬貨払出機構Ｂ等について説明する。図３に示すように、硬貨収納部１４のそれぞれの金種毎の底面部分には、モータＭ（図６参照）に連結されて駆動される搬送ベルトである払出ベルト１５が駆動ローラ１６と従動ローラ１７とに掛け渡されて設けられている。
【００１７】
ここで、硬貨収納部１４ａ〜１４ｆの底面部の横幅は、各硬貨収納部１４ａ〜１４ｆに収納される硬貨Ｃの直径よりも広く、かつ、各硬貨収納部１４ａ〜１４ｆに収納される硬貨Ｃの直径にその硬貨Ｃの厚さを加えた幅よりは狭く設定されている。このように各硬貨収納部１４ａ〜１４ｆの幅を規定したのは、払出ベルト１５に平行な状態で硬貨収納部１４ａ〜１４ｆ内に収納された硬貨Ｃと硬貨収納部１４ａ〜１４ｆの仕切板１３との間の隙間に直立状態の硬貨Ｃが入り込むのを防止し、硬貨収納部１４ａ〜１４ｆに収納された硬貨Ｃの詰まりを防止するためである。
【００１８】
払出ベルト１５は、エンドレスベルトであって、硬貨搬送方向下流側に向かうに従い高さが高くなるような昇斜面を形成するように傾斜配置されている。そして、硬貨収納部１４の出口部には、硬貨Ｃを一枚毎に分離する分離ローラ１８が、払出ベルト１５に対して硬貨Ｃ一枚が通過し得る間隔を隔てて配設され、かつ、全ての金種の出口部をそれらの金種毎に横断するように配設されている。
【００１９】
さらに、硬貨収納部１４の出口部には、所定枚数の硬貨Ｃを一列に整列させて、待機させる硬貨待機部１９が金種毎に設けられている。なお、硬貨待機部１９は、払出ベルト１５を備えており、硬貨払出経路としても機能する。
【００２０】
各硬貨待機部１９には、シャッタソレノイド２１に連結され、それぞれ金種別に硬貨Ｄを一時的に停止させるとともに必要枚数の硬貨Ｃを送り出すように動作制御がなされる硬貨シャッタ２０がそれぞれ設けられている。詳しくは、硬貨シャッタ２０は、シャッタソレノイド２１の駆動に伴って払出ベルト１５上に対して進退自在に設けられている。すなわち、この硬貨シャッタ２０は、シャッタソレノイド２１が駆動された場合には、払出ベルト１５から退避する方向に変位する。これにより、硬貨シャッタ２０は、先端部２０ａで払出ベルト１５上の先頭の硬貨Ｃ（図３参照）を押えるが、シャッタソレノイド２１の駆動に伴って払出ベルト１５上から退避して指定された枚数だけ硬貨Ｃを払い出すことが可能になっている。ここに、払出ベルト１５、駆動ローラ１６、従動ローラ、硬貨待機部１９などにより硬貨払出機構Ｂが構成されている。
【００２１】
硬貨シャッタ２０の直後には、金種毎に払い出された硬貨Ｃの枚数を計数する光センサである払出センサ２２や、硬貨Ｃの材質を検出するための発振コイルである材質センサ２７がそれぞれ設けられている。
【００２２】
さらに、払出ベルト１５によって硬貨Ｃを金種別に落下させる硬貨払出位置であって、ハウジング２の左側手前には、図１及び図２に示すように、上面が開口した筐体状の硬貨払出口２３が配置されている。この硬貨払出口２３は、左側に偏位させて設けられている。また、この硬貨払出口２３の上方には、図１に示すように、入力手段の一部を構成する操作部２４が設けられている。
【００２３】
操作部２４は、各種画面を表示する液晶表示器２５と、この液晶表示器２５の表示部に積層配置されたタッチパネル２６とにより構成されている。
【００２４】
次に、硬貨払出装置１に内蔵される各部の電気的接続について図５に基づいて説明する。硬貨払出装置１はマイクロコンピュータ（以下、マイコンという。）３０を備えており、このマイコン３０が各部を駆動制御する。マイコン３０は、各部を集中的に制御するＣＰＵ（Central Processing Unit）３１にバスライン３２を介して、コンピュータプログラム等の固定的データを予め記憶するＲＯＭ（Read Only Memory）３３と各種データを書き換え自在に記憶するワークエリア等として機能するＲＡＭ（Random Access Memory）３４とが接続されて構成されている。
【００２５】
このマイコン３０には、投入センサ４、計数センサ１２、払出センサ２２、材質センサ２７等のセンサ類３５、シャッタソレノイド２１、各モータＭ、液晶表示器２５、タッチパネル２６等が接続されている。このようにマイコン３０に接続された各部を説明する。
【００２６】
投入センサ４、計数センサ１２、払出センサ２２、材質センサ２７等のセンサ類３５は、例えば硬貨Ｃを光学的に検出した信号やコイルの電圧の変動等をマイコン３０に伝達するものであり、この検出信号に基づいてマイコン３０が各モータＭを駆動制御する。
【００２７】
また、シャッタソレノイド２１は、マイコン３０から出力される信号に基づき駆動制御され、通電（ＯＮ）されることで硬貨シャッタ２０を払出ベルト１５から離反する方向に変位させ、指定された枚数だけ硬貨Ｃを払い出す。なお、シャッタソレノイド２１は、ここでは１つしか図示しないが、実際には各金種毎に個々にマイコン３０によって制御される。
【００２８】
タッチパネル２６は、オペレータ（店員）によりタッチされたパネル上のＸＹ座標の位置を認識して座標データを取得し、この取得された座標データに応じた信号をマイコン３０に入力する。マイコン３０に信号が入力されると、マイコン３０は入力された座標データと画面上のキー位置とを比較することによりどのキーが操作されたかを特定する。
【００２９】
また、マイコン３０には、各種データを書き換え自在に記憶する不揮発性メモリ３６がバスライン３２を介して接続されている。不揮発性メモリ３６としてはＥＥＰＲＯＭを例示することができる。この不揮発性メモリ３６には、各種画像データファイルＦ１や払出金額プリセットテーブルＴ１などが記憶されている。
【００３０】
ここで、画像データファイルＦ１に基づいて硬貨払出装置１の電源投入後に液晶表示器２５の表示部に表示されるメイン画面を図５に示す。メイン画面Ｇ１には、払い出し金額が対応付けされた６個の払出キー５１と、設定キー５２とが表示されている。払出キー５１には、それぞれに番号が付されており、図５において、左から番号「１」，「２」，「３」，「４」，「５」，「６」とされている。これらの払出キー５１には、予め設定された払出金額（８０円、９５円、３８０円、３９５円、８８０円、８９５円）が表示されている。詳しくは後述するが、払出キー５１が選択されることにより、その払出キー５１に対応する払い出し金額が払い出される。
【００３１】
払出金額プリセットテーブルＴ１は、図６に示すように、払出キー５１毎に、払出金額、払出金額を払い出すために必要な金種及びその枚数、払出キー５１が操作（押下）された回数が記憶されている。本実施の形態では、「１」〜「６」番までの払出キー５１には、順に８０円、９５円、３８０円、３９５円、８８０円、８９５円が払出金額として設定されている。ここで、払出金額８０円、３８０円、８８０円は、新聞や缶コーヒーなどの１２０円の商品に対して預かり金としてそれぞれ２００円、５００円、１０００円を受け取った場合の釣銭を想定している。払出金額９５円、３９５円、８９５円は、ガムなどの１０５円の商品に対して預かり金としてそれぞれ２００円、５００円、１０００円を受け取った場合の釣銭を想定している。ここで、払出金額、払出金額を払い出すために必要な金種及びその枚数は、予め設定されたプリセットデータである。この払出金額プリセットテーブルＴ１に設定されている払出金額が払出キー５１に表示される。
【００３２】
次に、ＣＰＵ３１がコンピュータプログラムに基づいて実行する各種処理及び各部の動作を説明する。まず、硬貨Ｃの収納処理を各部の動作により説明する。硬貨Ｃが硬貨投入口３に投入されると、投入センサ４がその硬貨Ｃを検出し、この検出信号により投入口ベルト５、投入口ローラ６、搬送ベルト７、搬送ベルト８が駆動される。そして、硬貨投入口３に投入された硬貨Ｃは、投入口ベルト５と投入口ローラ６との間で１枚ずつ分離されて搬送される。その後、搬送ベルト７により搬送される硬貨Ｃは、硬貨案内部５０によって搬送方向が略直角に屈曲され、搬送ベルト７から搬送ベルト８に受け渡され、硬貨選別部１１で金種毎の選別がなされる。すなわち、硬貨Ｃは、金種に応じて選別孔１０から落下し、硬貨収納部１４ａ〜１４ｆに金種別に収納される。そして、選別孔１０から落下した硬貨Ｃは、計数センサ１２によりその数がカウントされる。
【００３３】
また、硬貨待機部１９に硬貨Ｃがない場合には、払出ベルト１５が駆動されて硬貨待機部１９に所定枚数の硬貨Ｃが常に存在するように動作制御がなされる。
【００３４】
次に、払出関連処理を図７ないし図９に基づいて説明する。なお、必要に応じて他の図面を適宜参照する。ここで、図７は払出関連処理の流れを示すフローチャート、図８は払出金額設定処理の流れを示すフローチャート、図９は払出金額設定処理における表示画面の遷移例を示し、（ａ）は払出キー選択画面を示す平面図、（ｂ）は払出金額入力画面を示す平面図、（ｃ）は払出金額変更後の払出キー選択画面を示す平面図である。
【００３５】
払出関連処理は、硬貨払出処理及び払出キー５１への払出金額の設定処理である。ここで、本実施の形態では、動作モードとして払出モードと設定モードとがあり、電源投入後には動作モードとして払出モードが設定され、この払出モードでは、液晶表示器２５にメイン画面Ｇ１が表示される。
【００３６】
図７に示すように、ＣＰＵ３１は、メイン画面Ｇ１（図５参照）に表示された払出キー５１が押下された場合には（ステップＳ１のＹ）、ステップＳ２〜Ｓ４の硬貨払出処理を実行する。ステップＳ２では、押下された払出キー５１のプリセットデータ（払出金額、払出金額を払い出すために必要な金種及びその枚数）を払出金額プリセットテーブルＴ１から読み込み、読み込んだプリセットデータに基づいて硬貨Ｃを硬貨払出口２３に払い出す（ステップＳ３、硬貨払出手段）。詳しくは、払出ベルト１５を駆動するとともに、金種毎に硬貨シャッタ２０をシャッタソレノイド２１によって駆動し、設定枚数の硬貨Ｃを送り出す。このとき、払出が設定されている金種の硬貨Ｃが無い、もしくは無くなったなった場合には、その金種よりも額面金額が低い硬貨Ｃを設定金額分だけ払い出すようにしている。
【００３７】
このように設定された払出金額分の硬貨Ｃを払い出した後、払出金額プリセットテーブルＴ１に記憶されている当該払出キー５１の操作回数に「１」を加算して（ステップＳ４、計数手段）、処理を終了する。
【００３８】
一方、払出キー５１が押下されず（ステップＳ１のＮ）、メイン画面（図５参照）に表示された設定キー５２が押下された場合には（ステップＳ５のＹ）、払出金額設定処理を実行する（ステップＳ６）。
【００３９】
払出金額設定処理を図８に示すフローチャートに基づいて説明する。払出金額設定処理では、設定モードに移行し（ステップＳ１１）、液晶表示器２５に図９（ａ）に示すような払出キー選択画面Ｇ２を表示させる（ステップＳ１２）。この払出キー選択画面Ｇ２には、払出金額を設定する払出キー５１の指定を促すガイダンス５３（例えば、「プリセット金額を設定するキーをタッチしてください。」）、払出キー５１、各払出キー５１の操作回数５４、終了キー５５などが表示されている。ここに、ステップＳ１２により入力手段の機能の一部及び出力手段が実行される。払出キー選択画面Ｇ２において、店員は、払出金額の変更を行う払出キー５１を押下すればよい。ここで、本実施の形態では、番号「２」（図９（ａ）の左から２番目）の払出キー５１が押下された場合の画面例を以下で示す。
【００４０】
払出キー選択画面Ｇ２の払出キー５１が押下された場合には（ステップＳ１３のＹ）、表示器に図９（ｂ）に示すような払出金額入力画面Ｇ３を表示させる（ステップＳ１４）。払出金額入力画面Ｇ３には、プリセットする払出金額の入力を促すガイダンス５６（例えば、「プリセット金額をテンキーで入力して下さい。」）、テンキー５７、クリアキー５８、確定キー５９、終了キー５５、テンキー５７により入力された金額を表示する表示エリア６０が設けられている。ここに、ステップＳ１４により入力手段の機能の一部が実行される。
【００４１】
店員は、この払出金額入力画面Ｇ３のテンキー５７でプリセットする払出金額（例えば、２５０円）を入力し、確定キー５９を押下する。このようにしてプリセットする払出金額が入力され確定キー５９が押下された場合には、その入力金額に基づいて払出金額設定を行う（ステップＳ１５）。具体的には、払出金額プリセットテーブルＴ１における当該払出キー５１の払出金額を入力された払出金額に変更する。これにより入力された払出金額が払出キー５１に対応付けられる。ここに、ステップＳ１５により対応付け手段の機能が実行される。
【００４２】
次に、当該払出金額の払い出しに必要な金種及びその枚数を求めて払出金額プリセットテーブルＴ１に記憶させ（ステップＳ１６）、払出金額プリセットテーブルＴ１における当該払出キー５１の操作回数をクリアする（ステップＳ１７）。
【００４３】
次に、液晶表示器２５に図９（ｃ）に示すような払出キー選択画面Ｇ２を表示させる（ステップＳ１８）。このときの払出キー選択画面Ｇ２には、上記処理で行われた変更点が反映される。本実施の形態では、番号「２」（図９（ｃ）の左から２番目）の払出キー５１の払出金額及び操作回数が変更されている。
【００４４】
そして、終了キー５５が押下されず（ステップＳ１９のＮ）、再び、払出キー５１が押下された場合には（ステップＳ１３のＹ）、以上の処理を繰り返す。一方、終了キー５５が押下された場合には（ステップＳ１９のＹ）、払出金額プリセットテーブルＴ１における全ての払出キー５１の操作回数をクリアし（ステップＳ２０）、払出モードに復帰して液晶表示器２５にメイン画面Ｇ１を表示させる（ステップＳ２１）。
【００４５】
ここで、以上の処理においては、各キーが押下されたときに少しの間だけ当該キーの色を変える処理がなされる。これによりキー操作が分かりやすくしている。
【００４６】
このような構成において、例えば、駅のホームの売店では、店員は、客から商品の代金を含む預かり金を受け取ったならば、その預かり金に応じた釣銭金額が設定された払出キー５１を押下する。これにより、釣銭分の硬貨Ｃが払い出される。店員は、払い出された硬貨Ｃを釣銭として客に手渡せば良い。これにより、ＰＯＳ端末などでの売上登録処理及びそのＰＯＳ端末からの指令による硬貨払出装置での釣銭の払い出しを行う場合に比べて、客さばきを早くすることができる。
【００４７】
また、店員の硬貨払出装置への操作としては、硬貨Ｃの補充のための硬貨投入口３への硬貨Ｃの投入と、操作部２４でのキー操作だけであるので、従来のように、販売台の裏などに硬貨Ｃを積み上げて並べるのに比べて、店員の手間が大幅に軽減される。
【００４８】
また、補充された硬貨Ｃは、硬貨払出装置１内に保管されるので安全性の向上が図られており、かつ、硬貨Ｃの紛失が防止される。
【００４９】
また、本実施の形態では、硬貨収納部１４の幅の小型化が図られていることにより、容易に硬貨払出口２３の小型化を図ることができ、硬貨払出口２３における硬貨Ｃの取り出し性を向上させることができる。
【００５０】
ここで、５００円未満の商品に対する預かり金５００円に対する釣銭金額と預かり金１０００円に対する釣銭金額との差は、５００円である。このことから、払出キー５１に対応付けする払出金額として、例えば、ある一つの払出キー５１の払出金額を５００円に設定し、それ以外の払出キー５１の払出金額を預かり金額５００円に対する釣銭金額に設定することにより、預かり金が１０００円の場合には、払出金額が５００円の払出キー５１と他の払出キー５１との組み合わせの合計により釣銭金額を払いだすようにすることもできる。このようにすることにより、預かり金額５００円や１０００円に対する釣銭だけを想定して各払出キー５１に払出金額を設定する場合には、５００円及び１０００円に対する払出金額をそれぞれの払出キー５１に設定する場合に比べ、払出キー５１の数を少なくすることができる。
【００５１】
このように本実施の形態においては、払出キー５１は、複数設けられ、払出キー５１が操作された回数を払出キー５１毎に計数する計数手段と、計数した払出キー５１に対する操作回数を出力する出力手段と、を備えることにより、払出キー５１の使用頻度が分かる。ここで、既に設定してある払出金額以外に設定したい払出金額が有る場合には、最も使用頻度の少ない払出金額に対して設定を変更することが望ましい。このとき、本実施の形態では、上述したように、払出キー５１の使用頻度が分かるので、最も使用頻度の少ない払出キー５１を指定してその設定を変更することができる。
【図面の簡単な説明】
【００５２】
【図１】本発明の一実施の形態の硬貨払出装置の外観を示す斜視図である。
【図２】硬貨払出装置の内部構造を示す平面図である。
【図３】硬貨払出装置の内部構造を示す縦断側面図である。
【図４】硬貨払出装置に内蔵される各部の電気的接続を示すブロック図である。
【図５】メイン画面を示す平面図である。
【図６】払出金額プリセットテーブルのデータ構成を示す説明図である。
【図７】払出関連処理の流れを示すフローチャートである。
【図８】払出金額設定処理の流れを示すフローチャートである。
【図９】払出金額設定処理における表示画面の遷移例を示し、（ａ）は払出キー選択画面を示す平面図、（ｂ）は払出金額入力画面を示す平面図、（ｃ）は払出金額変更後の払出キー選択画面を示す平面図である。
【符号の説明】
【００５３】
１…硬貨払出装置、１４…硬貨収納部、２４…操作部（入力手段）、５１…払出キー、Ｂ…硬貨払出機構、Ｃ…硬貨、ステップＳ３…硬貨払出手段、ステップＳ４…計数手段、ステップＳ１２…入力手段，出力手段、ステップＳ１４…入力手段、ステップＳ１５…対応付け手段
【図１】
2005056287.tif 000003
【図２】
2005056287.tif 000004
【図３】
2005056287.tif 000005
【図４】
2005056287.tif 000006
【図５】
2005056287.tif 000007
【図６】
2005056287.tif 000008
【図７】
2005056287.tif 000009
【図８】
2005056287.tif 000010
【図９】
2005056287.tif 000011